(57)【要約】【課題】  組み立てが容易な構造の集塵装置を備えた電気掃除機を提供する。【解決手段】  塵埃を含む空気を吸い込む本体吸気口と吸引力を発生する電動送風機とを備える掃除機本体と、前記吸気口と前記電動送風機との間に着脱自在な集塵装置とを有し、該集塵装置は、外殻を形成する外筒と該外筒内に設けられる内筒とを有し、前記外筒の上部は、略面一の内筒受部と、該内筒受部から下方向に切欠いた外筒凹部と、を有し、前記内筒は外周側に径方向に突出する内筒径方向凸部を有し、前記内筒を前記外筒内に設けた状態で、前記径方向凸部は、前記外筒凹部内に位置する。【選択図】図１
2017169718.tif 000002
【特許請求の範囲】
【請求項１】
塵埃を含む空気を吸い込む本体吸気口と吸引力を発生する電動送風機とを備える掃除機本体と、前記吸気口と前記電動送風機との間に着脱自在な集塵装置とを有し、
該集塵装置は、外殻を形成する外筒と該外筒内に設けられる内筒とを有し、
前記外筒の上部は、略面一の内筒受部と、該内筒受部から下方向に切欠いた外筒凹部と、を有し、
前記内筒は外周側に径方向に突出する内筒径方向凸部を有し、
前記内筒を前記外筒内に設けた状態で、前記内筒径方向凸部は、前記外筒凹部内に位置する電気掃除機。
【請求項２】
請求項１に記載の電気掃除機において、
前記集塵装置は、前記内筒内に設けられる捕塵フィルタと、該捕塵フィルタの上部に位置する上蓋と、を有し、
前記捕塵フィルタは、径方向に捕塵フィルタ径方向凸部を有し、
前記上蓋は、上蓋凹部を有し、
前記集塵装置を組み立てた状態で、前記外筒凹部と、前記内筒径方向凸部と、前記捕塵フィルタ径方向凸部と、前記上蓋凹部と、が略一直線上に並ぶ電気掃除機。
【請求項３】
塵埃を含む空気を吸い込む本体吸気口と吸引力を発生する電動送風機とを備える掃除機本体と、前記吸気口と前記電動送風機との間に着脱自在な集塵装置とを有し、
該集塵装置は、外殻を形成する外筒と、該外筒内に設けられる内筒と、該内筒に設けられる捕塵フィルタと、該捕塵フィルタの上部に位置する上蓋と、を有し、
前記外筒、前記内筒、前記捕塵フィルタ、前記上蓋に、前記集塵装置を組立てた状態で略一直線上に並ぶ矢印の刻印または表示を備える電気掃除機。
【発明の詳細な説明】
【技術分野】
【０００１】
本発明は電気掃除機に関する。
【背景技術】
【０００２】
近年、電気掃除機の形態は多様化し、従来の床移動型掃除機、縦型掃除機に加え、ロボット掃除機やふとん掃除専用の掃除機、縦型（スティック型）・ハンディ型両用可能な掃除機などがある。その中でも、前述したスティック型・ハンディ型両用可能な掃除機は一般的にＤＣスティック掃除機と呼ばれ、ニッケル・水素電池やリチウムイオン電池などの蓄電池を搭載した製品が多く、使い勝手の良さが好評で需要の伸びが大きい。
【０００３】
電気掃除機は、捕集した塵埃が多くなると吸引力が低下してしまうため、掃除後に集塵装置内の塵埃を取り除く必要がある。
【０００４】
したがって、塵埃を取り除いた後に集塵装置組立て動作が容易な構造である必要がある。
【先行技術文献】
【特許文献】
【０００５】
【特許文献１】特開２０１３−１１８９５９号公報
【発明の概要】
【発明が解決しようとする課題】
【０００６】
特許文献１のようなサイクロン集塵装置は、部品数が多く形状が複雑であるため、集塵装置の組み立て動作がし難いと考えられる恐れがある。
【０００７】
本発明の目的は、組み立てが容易な構造の集塵装置を備えた電気掃除機を提供することである。
【課題を解決するための手段】
【０００８】
上記課題を解決するために、塵埃を含む空気を吸い込む本体吸気口と吸引力を発生する電動送風機とを備える掃除機本体と、前記吸気口と前記電動送風機との間に着脱自在な集塵装置とを有し、該集塵装置は、外殻を形成する外筒と該外筒内に設けられる内筒とを有し、前記外筒の上部は、略面一の内筒受部と、該内筒受部から下方向に切欠いた外筒凹部と、を有し、前記内筒は外周側に径方向に突出する内筒径方向凸部を有し、前記内筒を前記外筒内に設けた状態で、前記内筒径方向凸部は、前記外筒凹部内に位置する。
【発明の効果】
【０００９】
本発明によれば、組み立てが容易な構造の集塵装置を備えた電気掃除機を提供することができる。
【図面の簡単な説明】
【００１０】
【図１】本発明の実施形態の電気掃除機をスティック型として使用する際の全体を示す外観斜視図である。
【図２】本発明の実施形態のハンディ型として使用する際の電気掃除機の右側面図である。
【図３】本発明の実施形態の図２に示す電気掃除機の中央断面図である。
【図４】本発明の実施形態の集塵装置の外観正面図である。
【図５】本発明の実施形態の集塵装置の分解図である。
【図６（ａ）】本発明の実施形態の集塵装置の分解斜視図である。
【図６（ｂ）】図６（ａ）の拡大図である。
【図７】本発明の実施形態の図４に示す集塵装置のＡ−Ａ断面図である。
【図８】本発明の実施形態の内筒の断面図である。
【図９】本発明の実施形態の外筒において、底蓋を開いた正面図である。
【図１０】本発明の実施形態の外筒において、底蓋を開いた右側面図である。
【図１１】本発明の実施形態の図９に示す外筒のＤ−Ｄ断面図である。
【図１２】本発明の実施形態に示す集塵装置の図３とは異なる方向の断面図である。
【発明を実施するための形態】
【００１１】
以下、本発明の代表的な実施形態例について、図面を適宜参照して詳細に説明する。但し、本発明は以下の実施形態例に限定されるものではない。以下、図１等に示すように、電気掃除機１００をスティック型として使用する際のハンドル２の位置する方向を上方向、吸込口１５の位置する方向を下方向とする。掃除機本体１でいえば、モータケース部７や蓄電池ケース部８がある方向を上方向、吸込口１５のある方向を下方向とする。また、図１等に示すように、電気掃除機１００の伸縮パイプ５（パイプケース部４）の位置する側を前方向、集塵装置１２の位置する方向を後方向とする。また、電気掃除機１００において、前方向を正面としたときを基準として右方向、左方向を規定しており、図１の紙面では左側を右方向、右側を左方向とする。なお、図２等に示すように、
電気掃除機１００から吸口体３を取り外してハンディ型として使用する際の説明においても、掃除機本体１の吸込口１５が位置する側を下方向、捕塵フィルタ１３０が位置する側を上方向、パイプケース部４が位置する側を前方向、集塵装置１２が位置する側を後方向、紙面左側を右方向、右側を左方向として説明する。
【００１２】
まず、本発明の実施形態例の１００の全体の構成について説明する。
【００１３】
本実施形態における電気掃除機１００は、図１のようにハンドル２を伸縮パイプ５に対し回動していない状態での使用と、図２のようにハンドル２を伸縮パイプ５に対し回動した状態での使用と、の主に２つの状態で使用が可能である。
【００１４】
図１は、本発明の実施形態において電気掃除機１００をスティック型として使用する際の外観斜視図である。
【００１５】
＜電気掃除機１００＞
図１に示す１００は電気掃除機である。電気掃除機１００は、掃除機本体１と、吸口体３と、集塵装置１２と、を有している。吸口体３は、掃除機本体１の下部先端に着脱可能に設けられている。集塵装置１２は、掃除機本体１の後部に着脱可能に設けられている。
【００１６】
なお、本実施形態例の電気掃除機１００は、充電台（図示なし）にて蓄電池１８(図３参照)に充電して電源として使用する充電式掃除機であるが、掃除機本体１に電源コードを備え、商用で用いられるＡＣ式の電気掃除機として使用しても良い。
【００１７】
＜掃除機本体１＞
次に、本実施形態例における掃除機本体１の構成について説明する。
【００１８】
掃除機本体１は、モータケース部７と蓄電池ケース部８とパイプケース部４と、導入管ケース部１４と、を有するケース本体５０と、ハンドル２と、を備える。
【００１９】
モータケース部７は略円筒形状の部分である。蓄電池ケース部８は略箱形状の部分である。パイプケース部４は、略筒形状の部分である。モータケース部７には電動送風機１７（図３参照）を内包している。電動送風機１７よりも下側には防振気密ゴム１１６と保護カバー１１５とを備える。保護カバー１１５は気密面１１２と吸込部１１３とを備える。蓄電池ケース部８には蓄電池１８（図３参照）を内包している。パイプケース部４には伸縮パイプ５を内包することができる。導入管ケース部１４には導入管１６０を内包している。
【００２０】
本体後部に本体ＬＥＤ１１１を有する。
【００２１】
掃除機本体１における各部の配置は、次の通りである。
【００２２】
図１のようにハンドル２を回動しない状態で、掃除機本体１における上部にハンドル２、下部に吸込口１５、吸込口１５とハンドル２との間にパイプケース部４が位置している。パイプケース部４の後方上部にモータケース部７が位置している。パイプケース部４の後方上部でかつモータケース部７よりも後方に蓄電池ケース部８が位置している。導入管ケース部１４は、パイプケース部４の右方向に位置している。モータケース部７は排気口１０６を有している。
【００２３】
また、掃除機本体１（パイプケース部４）の下部には吸口体着脱ボタン１３を備えている。吸口体着脱ボタン１３を押下することで、掃除機本体１から吸口体３の取り外しが可能となる。
【００２４】
ハンドル２は、操作ボタン１１ａおよび１１ｂを有し、ハンドル２の下部には上下方向に対し伸縮自在に設けられた伸縮パイプ５を有している。伸縮パイプ５の伸縮には伸縮ボタン１０を用いる。また、ハンドル２は、伸縮パイプ５に対し回動自在な機構（ハンドル支持軸２４）を備える。伸縮パイプ５を縮め、ハンドル２を伸縮パイプ５に対し回動させることにより、吸口体３を掃除機本体１から取り外し掃除機本体１の上下方向をコンパクトにしハンディ型として使用可能となる。なお、吸口体３を装着し、ハンドル２を伸縮パイプ５に対し回動させコンパクトにした状態で使用しても構わない。
【００２５】
次に、本発明の実施形態例のハンドル２および伸縮パイプ５の構成について説明する。先述したように、ハンドル２には操作ボタン１１ａおよび１１ｂを有し、操作ボタン１１ｂを有しているため、ハンドル２を略１８０゜回動させて前側（パイプケース部４）に固定し、ハンディ型として使用する際にも、操作ボタン１１ｂが掃除機の表に出るため、容易に電源の入り切りが可能となる。
【００２６】
ハンドル２の表面は、使用者が手で持ちやすいよう熱可塑性樹脂等の柔らかい素材で構成されていることが望ましい。また、使用者が清掃しているときに掃除機本体１が滑らないよう、ハンドル滑り止め形状等を設けることが望ましい。
【００２７】
図２にハンドル２を伸縮パイプ５に対し回動しパイプケース部４に固定した状態の電気掃除機１００を右側から見た側面図を示す。図３に図２に示す電気掃除機１００の中央断面図を示す。
【００２８】
ハンドル２は伸縮パイプ５の一端に設けられたハンドル支持軸２４に回動自在に支持される。電気掃除機１００をスティック型として使用する際は、ハンドル２を立てて（回動させず）伸縮パイプ５を延長し床面の清掃を行う。ハンドル支持軸２４の内部の固定構造や回転機構についての詳細は省略するが、ハンドル支持軸２４を押下することで、回転機構のロックが解除され、ハンドル２がハンドル支持軸２４を中心に、前側（パイプケース部４側）に回動する。
【００２９】
伸縮パイプ５は、掃除機本体１に設けられたパイプケース部４内に伸縮自在に支持される。伸縮パイプ５の伸縮およびロック機構についての詳細は省略するが、伸縮ボタン１０を押下することで、伸縮パイプ５は上下方向に伸縮する。また、使用者が掃除機本体１を使用している際に、伸縮パイプ５が縮むことがないようにロック機構を備えている。なお、伸縮パイプ５の伸縮の長さは多段階に調節できるようにしても良い。
【００３０】
このように、伸縮パイプ５の伸縮機構やハンドル２の回動機構により、電気掃除機１００をハンディ型として使用する際は、使用者の任意で伸縮パイプ５を縮め、ハンドル２を折り畳み、形態を変更することができる。また、ハンディ型とすることで、収納する際は高さの低い場所に収納することができる。
【００３１】
続いて、本発明の実施形態例の掃除機本体１をハンディ型として使用する際の状態について説明する。
【００３２】
掃除機本体１の前側に設けたパイプケース部４には、ハンドルクランプバネ１０８によって上側に付勢されたハンドル固定クランプ１０１を備える。ハンドル固定クランプ１０１は、ハンドル２の端部に設けられた突起部（図示せず）と嵌合し、ハンドル２をパイプケース部４に固定することができる。ハンドル固定クランプ１０１を下方向にスライドすると、ハンドル固定クランプ１０１が突起部から外れ、ハンドル２を掃除機本体１から離れる方向に回動させることができる。
【００３３】
＜先端ブラシ２０＞
掃除機本体１の先端部（下側）には、先端部に対して回動可能な先端ブラシ２０を備える。先端ブラシ２０は３方向に刷毛部を有している。先端ブラシ２０を用いるために回動させて両刷毛部を清掃面側にすることで清掃面との隙間を減らして吸込み性能を上げ、また清掃面を傷つけることなく掃除することができる。
【００３４】
＜集塵装置着脱機構＞
次に、本発明の実施形態の集塵装置着脱機構（Ｄロックボタン１１９）の構成について説明する。
【００３５】
パイプケース部４には、集塵装置１２を固定するための集塵装置固定突起１１７を備え、モータケース部７には、集塵装置１２を固定する集塵装置固定穴１１８を備える。集塵装置１２には、Ｄロックボタンバネ１２０によって付勢されたＤロックボタン１１９を備える。集塵装置固定突起１１７を集塵装置１２底面の窪み部１５９に差し込み、集塵装置固定突起１１７を起点に前方（パイプケース部４側）に回動させて、Ｄロックボタン１１９を集塵装置固定穴１１８に引っ掛けることにより、集塵装置１２が掃除機本体1に取り付けられる。
【００３６】
集塵装置１２を外す際は、Ｄロックボタン１１９を下方にスライドさせることで集塵装置固定穴１１８から外し、集塵装置１２の取り付け時とは逆方向に回動させることにより、集塵装置固定突起１１７から外すことができる。また、Ｄロックボタン１１９の色相を集塵装置１２に設ける表示シール（図示なし）と同系色にし、対となる１８０°反対の位置に設けることで、識別が容易となり誤組み防止機能を備える。
【００３７】
続いて、本発明の実施形態の集塵装置１２の構成について説明する。
【００３８】
＜集塵装置１２＞
集塵装置１２は、吸口体３または吸込口１５から吸込んだ塵埃を含む空気を、塵埃と空気とに分離し、塵埃を集める機能をもつ。
【００３９】
図４に集塵装置１２の正面図、図５に図４に示す集塵装置１２の分解図、図６（ａ）に図４に示す集塵装置１２の分解斜視図、（ｂ）に（ａ）の拡大図、図７に図４に示す集塵装置１２のＡ−Ａ断面図を示す。
【００４０】
集塵装置１２は概ね、外筒１２８、内筒１２９、捕塵スポンジフィルタ１７１、捕塵フィルタ１３０、上蓋１３２で形成されている。内筒１２９の上部はフィルタケース１３１、中部は上部円筒１２９ａとメッシュ部材１３６、下部は下部円筒１２９ｂと筒体１４０と、を備えている。外筒１２８は上下が開口した筒体である。外筒１２８の下部には底蓋１３３を備える。
【００４１】
外筒１２８の上部の開口部からは内筒１２９を挿入する。そして、フィルタケース１３１に、捕集スポンジフィルタ１７１と捕塵フィルタ１３０を収め、上蓋１３２を外筒１２９上部と締結し一体化することで集塵装置１２が形成される。このとき、内筒１２９は外筒１２８と略同心円状になるように装着されている。外筒１２８に内筒１２９を装着すると、外筒１２８と内筒１２９との間に塵埃の分離・収容のための空間を有する。外筒１２８と内筒１２９とで形成される空間のうち、上部は塵埃分離部１３４、下部は塵埃収容部１３５となる。塵埃分離部１３４は、塵埃を運んだ空気から塵埃を分離する空間であり、塵埃収容部１３５は、塵埃を集めて収容する空間である。
【００４２】
＜内筒１２９＞
内筒１２９について、図５及び図８を用いて説明する。
【００４３】
内筒１２９は、上部はフィルタケース１３１、中部は吸気部１２９ｃを備えた上部円筒１２９ａとメッシュ部材１３６、下部は上部円筒１２９ａよりも直径が大きい下部円筒１２９ｂと筒体１４０と、を備え構成されている。上部円筒の１２９ａ側面には吸気部１２９ｃを備え、格子状の枠体（支骨）によって形成されている。本実施形態例では上下方向の枠体（支骨）としているが、格子状でも構わない。吸気部１２９ｃは、外周面にメッシュ部材１３６が掛け渡されており、メッシュ部材１３６は被覆またはインサート成型などによって枠体（支骨）に保持されている。吸気部１２９ｃにメッシュ部材１３６を設けることで、上部円筒１２９ａはフィルタ機能を有し、内筒１２９内部への微細な塵埃の流入を抑制する。本実施形態例では、メッシュ部材１３６は、ポリエステルを使用しているが、金属（例えば、ステンレス）でも良く、枠体（支骨）ではなく小径の貫通孔（金型で成型可能なφ２ｍｍ程度の孔）を複数設けた吸気部１２９ｃでも構わない。貫通孔は、枠体（支骨）にメッシュ部材１３６を掛け渡した場合と違い、強度やメッシュ部材１３６の破れに対し有効であり、二次成形が不要といった利点がある。しかし、貫通孔の径は、メッシュ部材１３６の目開きよりも大きくなるため、内筒１２９の内部への微細な塵埃の流入を防ぐために成形機を考慮しつつ可能な限り微小孔とするのが好ましい。
【００４４】
フィルタケース１３１は略円筒状であり、上部円筒１２９ａと同心円状に設けている。フィルタケース１３１の上部は開口したフィルタケース上部開口面１３１ｂ、下部は略中心部に上部円筒１２９ａの内部空間と連通した開口部１３１ａを備えている。フィルタケース１３１は、後述する組立てが容易となるようフィルタケース上部開口面１３１ｂから上方向に突出する２つのフィルタケース上方向凸部（内筒上方向凸部）１３１ｃを有し、フィルタケース１３１の下部に、フィルタケース１３１の外周側から径方向に突出するフィルタケース径方向凸部（内筒径方向凸部）１３１ｄと、フィルタケース径方向凸部１３１ｄに矢印の刻印１３１ｅを備える。本実施形態例では、上部円筒１２９ａとフィルタケース１３１を一体に形成しているが、着脱可能な構造にしても構わない。また、フィルタケース１３１の下部の外周にはパッキング１３７を設けており、後述する外筒１２８のフィルタケース受部１２８ａにフィルタケース１３１を収めた際に外筒１２８と、フィルタケース１３１との気密を保持した状態で接する。本実施形態例では、フィルタケース１３１に備えたパッキング１３７は、リング状のゴム部材をフィルタケース１３１下部の窪み部に装着した構造（取り外し可能な構造）としているが、集塵装置１２を洗浄する際にパッキング１３７を取り外す場合も考えられ、パッキング１３７の装着を忘れることを防止するため、フィルタケース１３１とパッキング１３７を一体で成形（二次成形）しても構わない。
【００４５】
内筒１２９の下部円筒１２９ｂは上部円筒１２９ａと同心円状に設けており、略円筒状で上面が閉塞している。言い換えると、底面が開口し空間１３８を有した形状である。そして、下部円筒１２９ｂの空間１３８に、内包するように下部円筒１２９ｂの形状をオフセットした傘部１３９を設け、傘部１３９内部の空間１３９ａには、上面から下方に凸になるような筒体１４０を設けている。筒体１４０は、傘部１３９と同心円状に設けており、底面１４０ａが閉塞し略半球状となっており、底面１４０ａに向かって先細りになるような略円錐形状である。筒体１４０を先細りになるような略円錐形状にすることで、後述する外筒１２８下部の先太りの略円錐部と合わせて拡大する容器形状となるため、ごみ捨ての際にごみが落下しやすくなる。この筒体１４０は、集塵容積を拡大するために略円錐部の径を小さくしても構わない。
【００４６】
前述したように、傘部１３９を下部円筒１２９ｂに内包し、上下方向に摺動する摺動機構を設けることにより、ごみ捨て時に塵埃を排出し易くなる。傘部１３９は、吸引時などのごみ捨て時以外は下部円筒１２９ｂ内に収まっており、ごみ捨て時に下方へ摺動することで、集塵装置１２内の塵埃を押し出す。
【００４７】
摺動機構は、次の通りである。傘部１３９内の略中央に有底円筒状のバネケース１４１を設け、バネケース１４１にはバネ座１４１ａ及びバネ軸１４１ｂを備える。従って、バネケース１４１の外周は筒体１４０で覆った構造となっている。そして、下部円筒１２９ｂにバネケース１４１に入れ子状となるピストン部１４２を備えている。バネ軸１４１ｂにはストッパー１４３を固定できるようにネジ１４４で締結する構造となっており、バネケース１４１に上方からバネ１４５を挿入し、下部円筒１２９ｂと一体になった入れ子状のピストン部１４２を装着した後、ストッパー１４３をバネ軸１４１ｂにネジ１４４等で締結する。このような構造により、傘部１３９の摺動機構が構成される。ストッパー１４３は下部円筒１２９ｂの上面に備えたストッパー受部１２９ｄまで摺動する。よって、前述したように摺動距離は下部円筒１２９ｂの空間１３８の高さ未満であり、ストッパー１４３の高さは摺動距離と略同等となっている。本実施形態例では、バネケース１４１を別部品で形成しており、傘部１３９は取り外し可能となっている。傘部１３９とバネケース１４１の固定は双方に備えたロック機構（図示せず）によって行い、傘部１３９を回転させることで着脱を行う。また、バネケース１４１の側面には切欠部１４１ｃを設けており、切欠部１４１ｃにはピストン部１４２に設けた突出部（図示せず）が嵌合し、傘部１３９の着脱の際の回り止めとなっている。このような傘部１３９着脱構造を設けることで、下部円筒１２９ｂ内に塵埃が進入した場合でも、傘部１３９を取り外すことで塵埃の除去が可能となる。また、内筒１２９を洗う際にも、分解できることで水分を除去しやすく、手入れが容易になる。本実施形態例では、傘部１３９とバネケース１４１を別部品としているが、傘部１３９とバネケース１４１を一体で成形しても構わない。その際は、筒体１４０を別部品にすることで金型での成形が可能となる。
【００４８】
このような摺動機構において、バネ１４５が自然長に近い状態が、傘部１３９が最も飛び出した状態である。傘部１３９の上下の摺動距離は、先述したように下部円筒１２９ｂの空間１３８の高さ未満としている。言い換えると、傘部１３９の上面１３９ｃは、下部円筒１２９ｂの底面１２９ｅを越えないようにしている。これは、ごみ捨て時の下部円筒１２９ｂの底面１２９ｅと傘部１３９の上面１３９ｃとの間に隙間を極力小さくすることで、底面１２９ｅと上面１３９ｃとの間への塵埃の挟まりを抑制するためである。また、傘部１３９は、下部円筒１２９ｂ内の空間１３８を容易に摺動できる必要最小限のギャップを設けている。また、傘部１３９は塵埃収容部１３５内にあるため、傘部１３９外周と下部円筒１２９ｂとのギャップ（隙間）が小さすぎると隙間に塵埃が噛み込み、摺動しにくくなることも考えられる。本実施形態例では、塵埃の噛み込みを考慮したギャップを設け、傘部１３９の外周に複数のリブ１３９ｂを設けることで、ギャップを大きくしたことによる摺動時のガタつきを低減している。更に、傘部１３９は段差部１３９ｄを設けており、段差部１３９ｄと下部円筒１２９ｂの底面１２９ｅが合わさった状態（傘部１３９が下部円筒１２９ｂの空間１３８に収まった状態）で、下部円筒１２９ｂと傘部１３９との隙間がなくなる。これにより、塵埃吸引時の下部円筒１２９ｂと傘部１３９内との隙間への塵埃の入り込みを抑制している。また、傘部１３９の底部には、鍔部１４６を設けており、この鍔部１４６によって塵埃収容部１３５から塵埃分離部１３４への塵埃の戻りを抑制している。また、塵埃は鍔部１４６以下に堆積するため、塵埃が鍔部１４６を超える前を塵埃排出のタイミングとすると良い。
【００４９】
＜上蓋１３２＞
先述したように、内筒１２９は外筒１２８内に収まり、外筒１２９と内筒１２８と上蓋１３２で固定することで、集塵装置１２となる。外筒１２８と内筒１２９との固定は上蓋１３２で行う。上蓋１３２は図５〜図７に示したように、上下が開口した略筒体であり、後述する外筒１２８の上部に備えるフィルタケース受部１２８ａを覆うように、フィルタケース受部１２８ａの外径よりも一回り大きい。上蓋１３２は下部から上方向へ凹む上蓋凹部１３２ａを有する。上蓋１３２の上蓋凹部１３２ａを、後述する外筒１２８の外筒凹部１２８ｂ及び矢印の刻印１２８ｃに合わせ被せた状態で、回転させることで上蓋１３２と外筒１２８を固定する構造を備えている。フィルタケース受部１２８ａには所定の位置のみで上蓋１３２を被せるように、上蓋１３２内面に切欠部とフィルタケース受部１２８ａに突起部を備えている（図示せず）。切欠部と突起部を合わせた状態で上蓋１３２を外筒１２８側へ押し付け、上蓋１３２を回転させると、突起部が切欠部空間に入り上蓋１３２と外筒１２８を固定することができる。
【００５０】
また、上蓋１３２には先述したＤロックボタン１１９を備え、掃除機本体１との固定を行う。
【００５１】
＜捕塵フィルタ１３０＞
捕塵フィルタ１３０は、図５〜図７に示したように、枠体と、枠体内にプリーツ状に折られたフィルタ部材１４７とで形成される。捕塵フィルタ１３０のフィルタ面は略水平方向であるのが望ましい。これは、フィルタ部材１４７に付着した細塵に重力作用方向の力が働くことで、塵埃を落としやすくするためである。また、フィルタ部材１４７をプリーツ状に折ることで、フィルタ面積が大きくなるため、フィルタ部材１４７による圧力損失を低減することができる。フィルタ部材１４７は、例えば高密度のＨＥＰＡフィルタ（High Efficiency Particulate Air Filter）である。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。捕塵フィルタ１３０は使用者が水洗いできることが望ましい。捕塵フィルタ１３０は、その外周に径方向に突出した鍔部１３０ａと鍔部１３０ａから径方向に突出した捕塵フィルタ径方向凸部１３０ｃと、矢印の刻印１３０ｄとを有している。先述した内筒１２９の上部に形成された２つの上方向凸部１３１ｃの間に設けられる凹部と、捕塵フィルタ径方向凸部１３０ｃ及び矢印の刻印１３０ｄと、を一致させることで、内筒１２９上部に備えたフィルタケース１３１に収まる。
【００５２】
従って、捕塵フィルタ１３０は前述した上蓋１３２とフィルタケース１３１との間に位置する。内筒１２９のメッシュ部材１３６を通過した空気すべてが捕塵フィルタ１３０を通過するためには、上蓋１３２とフィルタケース１３１との間に捕塵フィルタ１３０を圧接する必要がある。よって、捕塵フィルタ１３０には、上蓋１３２とフィルタケース１３１との気密を保持するためのパッキング１４８を外周に備えている。パッキング１４８は、捕塵フィルタ１３０の外周に設けた鍔状の鍔部１３０ａの上下面にゴム部材等で成形されている。フィルタケース１３１に捕塵フィルタ１３０を装着すると、パッキング１４８の下面側とフィルタケース１３１上部のフランジ部１３１ａとが接する。上蓋１３２の上部には気密面１３２ａを設けており、前述したように上蓋１３２を捕塵フィルタ１３０上方から被せると、パッキング１４８の上面側と気密面１３２ｂが接し、上蓋１３２を固定する動作により、上蓋１３２とフィルタケース１３１との間に捕塵フィルタ１３０が圧接される。このとき、先述したようにフィルタケース１３１下部に設けたパッキング１３７と外筒１２８との間も気密が保持できるように圧接される。
【００５３】
さらに捕塵フィルタ１３０の上面にも気密保持のためのパッキング１３０ｂを備えている。このパッキング１３０ｂは上蓋１３２の天面よりも上方に出るように設けている。集塵装置１２を掃除機本体１に装着した際に、このパッキング１３０ｂにより掃除機本体１と集塵装置１２との気密を保持する。
【００５４】
＜捕塵スポンジフィルタ１７１＞
捕塵スポンジフィルタ１７１の部材は、例えばモルトフィルターＭＦ５０である。ウレタンフォームが有する三次元構造と高い空孔率、さらに完全なオープンセル構造のため、低い圧力損失で高い粉塵捕集率を得ることができ、優れた濾過性、耐油性を有する(密度：３０±５ kg/m3、セル数：５０±５ 個/２５ｍｍ)。
【００５５】
また、捕塵フィルタ１３０の枠体を前側に延長し、枠体にはめ込めるようすることが望ましい。捕塵フィルタ１３０の上流側に位置することで体積が大きい塵埃を捕集することが可能となり、捕塵フィルタ１３０への負担を低減することができる。また、捕塵スポンジフィルタ１７１は使用者が水洗いできることが望ましい。これによって、捕塵フィルタ１３０が塵埃によって直接汚れにくくなり、お手入れ性が向上する。
【００５６】
＜外筒１２８＞
外筒１２８について、図６、図９乃至図１２を用いて説明する。図９は外筒１２８の底蓋１３３を開いた状態の正面図、図１０は外筒１２８の底蓋１３３を開いた状態の右側面図、図１１は図１０におけるＤ−Ｄ断面図、図１２は本発明の実施形態に示す集塵装置の図７とは異なる方向の断面図である。
【００５７】
外筒１２８は、上下が開口した略筒体で、上部にフィルタケース１３１を内包するようにフィルタケース１３１の外径よりも一回り大きいフィルタケース受部（内筒受部）１２８ａを設けている。外筒１２８は、外側に突出したフランジ部１２８ｄを備えている。フランジ部１２８ｄの外側は、先述した上蓋１３２の底面が接し、フランジ部１２８ｄの外径は上蓋１３２の外径と略同等となっている。また、フィルタケース受部１２８ａには、切欠部として凹部１２８ｂを一箇所設けており、フィルタケース１３１の外周に設けた突起部である径方向凸部１３１ｄを避ける大きさに切り欠いている。外筒１２８の上部には外筒凹部１２８ｂ及び矢印の刻印１２８ｃを備える。よって、この外筒凹部１２８ｂとフィルタケース１３２のフィルタケース径方向凸部１３１ｄを合わせ、各刻印の位置を合わせることで外筒１２８に挿入する内筒１２９の位置決めを行なうことができる。フィルタ受部１２８ａの高さは、先述した内筒１２９の摺動距離よりも高くしている。これは、後述する底蓋１３３を閉じた状態で内筒１２９を装着する際に（傘部１３９が突出した状態で）、フィルタケース１３１がフィルタケース受部１２８ａ内に収まる高さであり、フィルタケース１３１がこの高さを超えると、内筒１２９が安定せず装着が難しくなる。フランジ部１２８ｄの内径は、フィルタケース１３１下部に備えるパッキング１３７の外径よりも小さく、フィルタケース１３１を固定した際、フランジ部１２８ｄの上部にパッキング１３７が圧接し、気密を保持する。
【００５８】
フィルタケース受部１２８ａの対面側（外筒１２８下部）の開口には、底蓋１３３を開閉可能に設ける。底蓋１３３形状についての詳細は後述する。
【００５９】
外筒１２８の側面には、流入口１４９および蓋ロック機構１５０を備えている。流入口１４９は、図１０のＤ−Ｄ断面図に示すように、中心線（イ）と並行になる面（ロ）に設けており、流入口外壁面１４９ａは、外筒１２８の外径よりも外側にあり、外筒１２８と略接線で繋がるように形成されている。流入口１４９の開口は略四角形状である。従って、流入口外壁面１４９ａは、中心線（ハ）と並行になっていない。言い換えると、流入口１４９は外筒１２８の外径より外に出ている。これは、外筒１２８と同心軸上に備えた内筒１２９と流入口１４９が、流入口１４９の面から見てオーバーラップしないようにするためである。流入口１４９の面から内筒１２９が臨める場合、流入した塵埃を含む空気が内筒１２９に衝突し、塵埃の分離性能が低下する。また、内筒１２９の側面はメッシュ部材１３６を掛け渡したフィルタ構造となっているため、メッシュ部材１３６に塵埃が貼り付くなどの不具合が発生し、吸引力が低下する恐れもある。また、本実施形態例のような流入口１４９配置は、圧力損失や騒音の低減にも有効である。本実施形態例と同じ開口面積の流入口１４９を外筒１２８の外径内に収めると、流入口１４９から内筒１２９が臨めるため、前述した不具合が発生する。従って、流入口１４９の幅方向を小さくする必要があり、流速が増加し圧力損失や騒音の増加となる。圧力損失や騒音が増加しないためには、流入口１４９のアスペクト比を変えて、上下方向に長い流入口１４９にして開口面積を確保することも考えられるが、流入口１４９の開口を上下方向に長くすると外筒１２８の上下方向が長くなるため、集塵装置１２が大きくなる。本実施形態例は、スティック型・ハンディ型両用の掃除機であり、コンパクトな掃除機本体１が望まれ、集塵装置１２においてもコンパクト化が必要である。従って、本実施形態例の集塵装置１２により、掃除機本体１をコンパクト化した電気掃除機１００を提供することができる。
【００６０】
また、先述したように、流入口１４９は図１０のＤ−Ｄ断面図に示す中心線（イ）と並行になる面（ロ面）に開口を設けている。その上、流入口１４９の開口を有する面（ロ面）は、外筒１２８の外径よりも内側（中心線（イ）側）に位置している。外筒１２８には後述する導入管１６０が流体的に連結するため、流入口１４９の面（ロ面）を外筒１２８の最大外径よりも小さくなる面（ロ面）にすることで、導入管１６０を含めた掃除機本体１の前後高さを小さくすることができる。言い換えると、導入管１６０を外筒１２８の中心軸（ハ）の同一線上に設けずオフセットさせることで、掃除機本体１をコンパクト化した電気掃除機１００を提供することができる。
【００６１】
また、本実施形態例では、流入口１４９は右側に設けているが、左側に設けても良く、流入した空気の旋回方向が反対方向になるが塵埃の分離性能などへの影響を考慮する必要はない。
【００６２】
本実施形態例の外筒１２８は、図９に示すように、上方は円筒状の形状である。また、略中央部から集塵装置１２の中心軸に対して略垂直方向外側に略水平に塵埃舞い戻り防止面１５１が設けられ、塵埃舞い戻り防止面１５１から下方が略円錐状に拡大していく形状である。塵埃舞い戻り防止面１５１は、外筒１２８上部円筒状の内周面から約２．５ｍｍ外径側へ拡大されている。外筒１２８に内筒１２９を装着した状態において、内筒１２９の傘部１３９の下面は外筒１２８上方の円筒内にあり、内筒１２９の傘部１３９の下面（鍔部１４６以下）に塵埃が堆積する。よって、塵埃舞い戻り防止面１５１によって、下方の塵埃収容部１３５に堆積した塵埃や、塵埃収容部１３５から戻る空気に含まれる塵埃が外筒１２８内面に沿って舞い戻ることを防止する。これにより、内筒１２８側面のメッシュ部材１３６への塵埃の貼り付きや、メッシュ部材１３６からの微細な塵埃の吹き抜けを抑制することができるため、吸引力の低下を抑えた集塵装置１２を有する電気掃除機１００を提供することができる。
【００６３】
また、塵埃舞い戻り防止面１５１を設け、塵埃舞い戻り防止面１５１から下方を略円錐状とすることで外筒１２８の容積を拡大し、より多くの塵埃を堆積できる。本実施形態例では集塵装置１２の中心軸を鉛直方向にした状態で約８度傾斜している。
【００６４】
また、本実施形態例の電気掃除機１００は、スティック型・ハンディ型両用の構造であり、ハンディ型の状態では、掃除機本体１の体勢が様々で、集塵装置１２の上部（捕塵フィルタ１３０側）が下向きになる場合がある。その際、前述したような塵埃舞い戻り防止面１５１を設けることで塵埃収容部１３５から塵埃分離部１３４への塵埃の戻りの抑制に有効である。
【００６５】
本実施形態例では、スティック型・ハンディ型両用の電気掃除機１００の集塵装置１２について述べたが、床移動タイプのサイクロン掃除機においても、前述したような塵埃舞い戻り防止面１５１を設けることで、塵埃収容部１３５から塵埃分離部１３４への塵埃の戻りを抑制することができるため、微細塵埃の吹抜けや塵埃の圧縮に効果がある。
【００６６】
＜蓋ロック機構１５０＞
外筒１２８側面に備えた蓋ロック機構１５０は、蓋ロックカバー１５３、ボタン１５４、バネ（図示せず）で構成されている。詳細は省略するが、ボタン１５４はバネで付勢されており、ボタン１５４を押すことで、ボタン１５４と一体になった爪部１５５が回動し、底蓋１３３に設けた掛かり部１５６からボタン１５４の爪部１５５が外れ、底蓋１３３が開く。爪部１５５および掛かり部１５６には、互いに斜面を形成しており（図示せず）、底蓋１３３を閉める動作で斜面同士が接触し、さらに底蓋１３３を押し上げることで、ボタン１５４が回転力を得てバネが縮み、爪部１５５は掛かり部１５６を乗り越え再び底蓋１３３が閉じられる。
【００６７】
＜底蓋１３３＞
底蓋１３３は深さをもった皿状で、上面の外周にはパッキング１５７を備えており、底蓋１３３を閉じた際、外筒１２８底部との気密を保持できる。底蓋１３３は皿状にすることで強度を増している。また、外周の一部には先述した外筒１２８と底蓋１３３を係止する掛かり部１５６を、対面には回転軸１５８ａを備えたヒンジ部１５８を備えている。
【００６８】
底蓋１３３の底面（裏側面）には、掃除機本体１のパイプケース部４側に窪み部１５９を備えており、掃除機本体１の集塵装置固定突起１１７と底蓋１３３底面の窪み部１５９が嵌合する形状となっている。先述したように、掃除機本体１に集塵装置１２を装着する際は、底蓋１３３底面の窪み部１５９を掃除機本体１の集塵装置固定突起１１７に嵌合させて、突起部を起点に集塵装置１２を掃除機本体１側へ押し付ける。そして、先述した上蓋１３２上部のＤロックボタン１１９により、集塵装置１２は掃除機本体１と一体になる。従って、集塵装置１２を掃除機本体１に装着すると、蓋ロック機構１５０は掃除機本体１側に隠れる。これは、蓋ロック機構１５０を反対側（外側）に設けた場合、掃除の際に蓋ロック機構１５０を解除する恐れがあり誤動作を防止するためである。たとえば、スティック型の状態でソファーやベッドの下を掃除するときなど、掃除機本体１を床面に対して水平に近づける場合があるが、このとき、蓋ロック機構１５０を後方に設けた場合は、床面と接触して蓋ロック機構１５０が解除される可能性がある。蓋ロック機構１５０とヒンジ部１５８の位置はこの限りでなく、掃除機本体１に対し左右に設けても構わない。左右に設けることで、先述した誤動作を防止することができるとともに、ヒンジ部１５８の突出が無くなるため、掃除機本体１の前後方向の高さを小さくでき、コンパクト化が可能となる。
【００６９】
また、皿状の底蓋１３３は中央が突出し、中央には突出した部分から凹みとなる窪み部１７０を備えている。また、窪み部１７０は、先述した筒体１４０の底面１４０ａの球形状の球半径よりも大きくしており、窪み部１７０の深さは、底蓋１３３が開状態（外筒１２８の底面に対して垂直状態）で窪み部１７０に水平面ができないようにしている。また、窪み部１７０は極力浅くしており、ごみ排出の際に窪み部１７０に塵埃が残らないようにしている。
【００７０】
本実施形態例では、窪み部１７０を別体で形成しており、底蓋１３３開閉での筒体１４０との摩擦による部材の磨耗を低減するようにＰＯＭ（ポリオキシメチレン）などの材料を用いているが、一体で成形しても構わない。
【００７１】
以上のような外筒１２８および内筒１２９の構造において、外筒１２８に内筒１２９を装着することで、内筒１２９に設けた摺動機構は、外筒１２８下部に設けた底蓋１３３の開閉によって行われる。底蓋１３３を開けた状態は傘部１３９が下方に突出しており、底蓋１３３を閉じるとバネ１４５が縮み、傘部１３９が下部円筒１２９ｂ内に収まる。従って、ごみ捨て時に底蓋１３３の蓋ロック機構１５０を解除すると、傘部１３９が下向きに飛び出し塵埃を押し出す。
【００７２】
＜ごみ捨て時の動作＞
以上のような外筒１２８、内筒１２９、ごみ排出の摺動機構において、ごみ捨て時の動作を説明する。  底蓋１３３は、集塵装置１２側面に設けた蓋ロック機構１５０のボタン１５４を押すことで解除される。底蓋１３３は蓋ロック機構１５０の反対側にヒンジ部１５８を備え、ヒンジ部１５８の回転軸１５８ａを軸に回転し、底蓋１３３が略垂直（底蓋１３３の上面が垂直）状態になる。
【００７３】
底蓋１３３が開くと同時に、バネ１４５によって傘部１３９及び筒体１４０が下向きに飛び出す。これにより、傘部１３９は、底蓋１３３が閉じた状態よりも底蓋１３３が開いた状態の方が、外筒１２８の下面の開口寄りの位置となる。この傘部１３９の摺動により、捕集した塵埃を下方に押し出す。
【００７４】
ごみ捨て後、底蓋１３３を閉じる際、下方に飛び出した筒体１４０の底面１４０ａと、底蓋１３３の中央に設けた窪み部１７０が接触し、傘部１３９及び筒体１４０は上方へ押される。筒体１４０の底面１４０ａと窪み部１７０は球状に接するため、底蓋１３３を閉じる動作で底蓋１３３の角度が変わっても、筒体１４０の底面１４０ａと窪み部１７０との接触面積を一定に保つことができ、また、曲面同士を接触させることで常に垂直方向に力が加わるため、傘部１３９は下部円筒１２９ｂ内にスムーズに収まる。底蓋１３３に窪み部１７０を設けず平面で接触させる場合は力が加わる方向が平面に対し垂直になるため傘部１３９が垂直に戻り難く、底蓋１３３が閉め難くなる。そして、底蓋１３３を略水平状態まで閉じると、掛かり部１５６が爪部１５５と接触し、底蓋１３３に設けたパッキング１５７で気密を保持した状態でロックされる。
【００７５】
また、このように集塵装置１２の下方から塵埃を排出する機構を備えることは、本実施形態例のような集塵装置１２上方に本体端子部９を備える電気掃除機１００（充電式電気掃除機）に有効であり、集塵装置１２上方（上蓋１３２側）に塵埃が付着することを抑制できるため、本体端子部９への塵埃の付着を防止でき安全である。
【００７６】
＜ごみ吸引時の空気の流れ＞
以上のような、外筒１２８、内筒１２９、捕塵フィルタ１３０、捕集スポンジフィルタ１７１、上蓋１３２、底蓋１３３を組み合わせた集塵装置１２を掃除機本体１に装着した状態での空気の流れを、説明する。
【００７７】
ハンドル２に設けられた操作ボタン１１ｂにより使用者が運転を開始すると、電動送風機１７が駆動し空気を吸い込む。吸い込んだ空気は、導入管１６０の吸込口１５から導入管出口１６１を経て、流入口１４９より集塵装置１２内に流入する。このとき、導入管１６０の屈曲部により、塵埃は導入管１６０の内壁面左側に押しやられながら集塵装置１２内に、外筒１２８の略接線方向から搬送される。流入した塵埃を含む空気は、旋回流となり、塵埃に遠心力が働き、塵埃と空気は分離される。つまり、塵埃分離部１３４にて、塵埃と空気とは分離される。分離された空気の多くは上部円筒１２９ａに設けた吸気口１２９ｃより内筒１２９の内部に流入する。そして、空気は捕塵スポンジフィルタ１７１、捕塵フィルタ１３０を通過し、上蓋１３２の上部開口を経て、電動送風機１７へ至る。このとき、吸気口１２９ｃのメッシュ部材１３６を通過した微細な塵埃は、捕塵スポンジフィルタ１７１及び捕塵フィルタ１３０で捕集される。
【００７８】
一方、遠心力で分離された塵埃は、重力と一部の空気流により外筒１２８と下部円筒１２９ｂとの間を通り、塵埃収容部１３５内に搬送される。このとき、塵埃には遠心力が働いているため、塵埃収容部１３５内で旋回する。そして、掃除機の使用を続けると、徐々に塵埃が堆積し塵埃収容部１３５が満杯になった状態でごみ捨てのタイミングとなる。塵埃収容部１３５内に流入した空気は、筒体１４０、傘部１３９の空間１３９ａ形状に沿って、下部円筒１２９ｂの外周付近から上部円筒１２９ａ側へ流れる。この空気の流れによる、塵埃の上部円筒１２９ａ側への戻りを抑制するためには傘部１３９の深さが必要である。本実施形態例では、下部円筒１２９ｂに塵埃を押し出す摺動機構を設けているため、傘部１３９には十分な深さを設けている。また、外筒１２８のテーパ部上端に設けた塵埃舞い戻り防止面１５１により、さらに塵埃の上部円筒１２９ａ側への戻りを抑制している。
【００７９】
塵埃収容部１３５に塵埃が満杯になったらごみ捨てを行うが、ごみ排出機構は前述した通りであり、吸引した塵埃の量が少ない場合でも、傘部１３９の摺動機構、及び外筒１２８の略円錐形状により、塵埃の排出は可能である。
【００８０】
＜集塵装置の分解及び組立て＞
集塵装置の分解及び組立て性能について図５、図６を用いて説明する。集塵装置１２となる詳細及び構造は先述した通りである。
【００８１】
分解の際の手順は外筒１２８に接続された上蓋１３２を上方とし反時計回りに回動することで取り外し、内筒１２９に収められた捕塵フィルタ１３０を取り外し、外筒１２８に収められた内筒１２９を取り外す。最後に内筒２９から捕塵スポンジフィルタ１７１を取り外す。内筒１２９も分解する場合は、内筒２９の筒体１４０をフィルタケース１３１に刻印された「つける・I字」から「はずす・I図字」に向う方向の反時計回りに回転する。集塵装置１２を分解することで、集塵装置のお手入れをし易くなるという効果を奏する。
【００８２】
組立ての際の手順は前記分解手順のほぼ逆の順序で行う。筒体１４０に備えた矢印の刻印をフィルタケース１３１に刻印された「はずす・I字」の印に一致させ、フィルタケース１３１の下部に接続し、フィルタケース１３１に刻印された「はずす・I字」の刻印から「つける・I字」の刻印に向う方向の時計回りに回転する。これにより内筒１２９が組み立てられる。続いて内筒１２９の上面に設けられた円状の凹みに円状の捕塵スポンジフィルタ１７１と捕塵フィルタ１３０を収める。
【００８３】
次に、外筒１２８への内筒１２９を取り付ける。フィルタケース径方向凸部１３１ｄを外筒凹部１２８ｂに位置させることで内筒１２９は外筒１２８へ正しく取り付けることになる。しかし、前述の通り、フィルタケース径方向凸部１３１ｄのある部分の径方向の長さが、外筒１２８のフィルタケース受部１２８ａの内側の径方向の長さよりも長い。そのため、外筒１２８への内筒１２９の挿入位置によっては、径方向凸部１３１ｄがフィルタケース受部１２８ａに接し、正しい位置での取り付けとはならない。ここで、本実施形態のように、フィルタケース受部１２８ａが略面一であり、外筒凹部１２８ｂがフィルタケース受部１２８ａから凹んだ部分であるため、フィルタケース径方向凸部１３１ｄがフィルタケース受部１２８ａに接した後、フィルタケース１３１を回転させることで、一周回転させるまでに径方向凸部１３１ｄが外筒凹部１２８ｂに位置し、外筒１２８に内筒１２９を正しく取り付けることが容易となる。また、外筒１２８の上部に設けられた矢印の刻印１２８ｃと内筒１２９のフィルタケース１３１に設けられた矢印の刻印１３１ｅを一致させるよう、外筒１２８の上部に設けられた外筒凹部１２８ｂに内筒１２９のフィルタケース１３１に設けられたフィルタケース径方向凸部１３１ｄを収めることで更に容易に取り付けることができる。続いて、フィルタケース１３１の矢印の刻印１３１ｅと捕塵フィルタ１３０に設けられた矢印の刻印１３０ｂを一致させ、２つのフィルタケース上方向凸部１３１ｃの間に捕塵フィルタ径方向凸部１３０ｃを入れることで、フィルタケース１３１に捕塵フィルタ１３０を但し位置で収めることができる。捕塵フィルタ１３０の上部から上蓋１３２に備えた表示シール内の矢印（図示なし）と複数の矢印の刻印（１２８ｃ、１３１ｅ、１３０ｄ）を一致させ、上蓋凹部１３２ａを前記複数の凹凸形状（１３０ｄ、１３１ｄ、１２８ｂ）を覆うように被せ、外筒１２８の鍔部１２８ｄに押し付け、時計回りに回動することで、上蓋１３２を外筒１２８に係止することができる。
【００８４】
以上のように、外筒１２８が、略面一のフィルタケース受部（内筒受部）１２８ａと、フィルタケース受部１２８ａから下方向に切欠いた外筒凹部１２８ｂと、を有し、内筒１２９のフィルタケース１３１は外周側に径方向に突出するフィルタケース径方向凸部（内筒径方向凸部）１３１ｄを有し、内筒１２９を外筒１２８内に設けた状態で、フィルタケース径方向凸部１３１ｄは、外筒凹部１２８ｂ内に位置することで、組み立てが容易な構造の集塵装置を備えた電気掃除機を提供することができる。
【００８５】
更に、集塵装置１２を組み立てた状態で、外筒凹部１２８ｂと、フィルタケース径方向凸部１３１ｄと、捕塵フィルタ径方向凸部１３０ｃと、上蓋凹部１３２ａと、が略一直線上に並ぶことで、より組み立てが容易となる。
【００８６】
また、外筒１２８、内筒１２９、捕塵フィルタ１３０、上蓋１３２に、集塵装置１２を組立てた状態で略一直線上に並ぶ矢印の刻印または表示を備えることでも組み立てが容易な構造の集塵装置を備えた電気掃除機を提供することができる。
【００８７】
以上、本実施形態例に示したような集塵装置のお手入れの際の外筒、内筒、捕塵フィルタ、フィルタカバーの組立が容易な集塵装置を有した電気掃除機を提供することができる。
【符号の説明】
【００８８】
１００  電気掃除機
１２  集塵装置
１２８  外筒
１２８ａ  フィルタケース受部（内筒受部）
１２８ｂ  外筒凹部
１２８ｃ  刻印
１２９  内筒
１２９ａ  上部円筒
１２９ｂ  下部円筒
１２９ｃ  吸気部
１２９ｄ  ストッパー受部
１２９ｅ  底面
１３０  捕塵フィルタ
１３０ａ  鍔部
１３０ｂ、１３７、１４８、１５７  パッキング
１３０ｃ  捕塵フィルタ径方向凸部
１３０ｄ  刻印
１３１  フィルタケース
１３１ａ  開口部
１３１ｂ  フィルタケース上部開口面
１３１ｃ  フィルタケース上方向凸部（内筒上方向凸部）
１３１ｄ  フィルタケース径方向凸部（内筒径方向凸部）
１３１ｅ  刻印
１３２  上蓋
１３２ａ  上蓋凹部
１３３  底蓋
１３４  塵埃分離部
１３５  塵埃収容部
１３６  メッシュ部材
１３８  空間
１３９  傘部
１３９ａ  空間
１３９ｂ  リブ
１３９ｃ  上面
１３９ｄ  段差部
１４０  筒体
１４０ａ  底面
１４１  バネケース
１４１ａ  バネ座
１４１ｂ  バネ軸
１４１ｃ  切欠部
１４２  ピストン部
１４３  ストッパー
１４４  ネジ
１４５  バネ
１４６  鍔部
１４７  フィルタ部材
１４８  パッキング
１４９  流入口
１４９ａ  流入口外壁面
１５０  蓋ロック機構
１５１  塵埃舞い戻り防止面
１５３  蓋ロックカバー
１５４  ボタン
１５５  爪部
１５６  掛かり部
１５８  ヒンジ部
１５８ａ  回転軸
１５９  窪み部
１６０  導入管
１６１  導入管出口
１７０  窪み部
１７１  捕集スポンジフィルタ
【図１】
2017169718.tif 000003
【図２】
2017169718.tif 000004
【図３】
2017169718.tif 000005
【図４】
2017169718.tif 000006
【図５】
2017169718.tif 000007
【図６（ａ）】
2017169718.tif 000008
【図６（ｂ）】
2017169718.tif 000009
【図７】
2017169718.tif 000010
【図８】
2017169718.tif 000011
【図９】
2017169718.tif 000012
【図１０】
2017169718.tif 000013
【図１１】
2017169718.tif 000014
【図１２】
2017169718.tif 000015